(57)【要約】【課題】本考案は、携帯電話の着信を通知することが可能な腕時計を提供する。【解決手段】使用者の手首に固定されるとともに、ケースユニットと、ワイヤレス信号を受信するための受信ユニットと、受信ユニットの信号を受信してそれに対応する通知信号を作り出すための通知ユニットとによって構成する。ケースユニットの内部には時間計算装置が設けられ、ケースユニットは時間を表示するための時計表面を備え、ケースユニットの両端は延伸してベルトを形成し、受信ユニットと通知ユニットはケースユニット内に設けられる。【選択図】図１
0003162246.tif 000002
【実用新案登録請求の範囲】
【請求項１】
携帯電話の着信を通知することが可能な腕時計であって、
該腕時計は使用者の手首に固定され、
該腕時計は、ケースユニットと、ワイヤレス信号を受信するための受信ユニットと、受信ユニットの信号を受信してそれに対応する通知信号を作り出すための通知ユニットとによって構成し、
ケースユニットの内部には時間計算装置が設けられ、ケースユニットは時間を表示するための時計表面を備え、ケースユニットの両端は延伸してベルトを形成し、
受信ユニットと通知ユニットはケースユニット内に設けられることを特徴とする、携帯電話の着信を通知することが可能な腕時計。
【請求項２】
該受信ユニットはブルートゥースワイヤレス受信機であることを特徴とする、請求項１に記載の携帯電話の着信を通知することが可能な腕時計。
【請求項３】
該受信ユニットは、ＩＥＥＥ８０２．１１ａ／ｂに対応したワイヤレス受信機であることを特徴とする、請求項１に記載の携帯電話の着信を通知することが可能な腕時計。
【請求項４】
該受信ユニットは赤外線ワイヤレス受信機であることを特徴とする、請求項１に記載の携帯電話の着信を通知することが可能な腕時計。
【請求項５】
該通知信号は、バイブレーション、着信音、ディスプレイ表示、閃光の内のいずれか一つであることを特徴とする、請求項１に記載の携帯電話の着信を通知することが可能な腕時計。
【請求項６】
該通知信号は、該時計表面によって表示されることを特徴とする、請求項１に記載の携帯電話の着信を通知することが可能な腕時計。
【請求項７】
該腕時計は、送話器をさらに備えることを特徴とする、請求項１に記載の携帯電話の着信を通知することが可能な腕時計。
【請求項８】
該腕時計は、太陽エネルギーを利用して充電を行うことを特徴とする、請求項１に記載の携帯電話の着信を通知することが可能な腕時計。
【考案の詳細な説明】
【技術分野】
【０００１】
本考案は腕時計に関し、特に携帯電話の着信を通知することが可能な腕時計に関する。
【背景技術】
【０００２】
携帯電話は、一般的にバイブ機能と着信音を備えており、電話が来た時に、バイブ機能や着信音によって、使用者に電話が来たことを知らせることができる。
【０００３】
しかしながら、バイブ機能や着信音によって使用者に電話が来たことを知らせる方法は、下記のような問題と欠点をもっている：
【０００４】
従来の着信を通知する方法では、携帯電話を手提げ袋に入れている時に、携帯電話が震動したり、着信音を発信したりしても使用者は気づかないことがある。従って、この方法は、改善の余地がある。
【考案の概要】
【考案が解決しようとする課題】
【０００５】
そこで、本考案は、携帯電話の着信を通知することが可能な腕時計を提供することを目的とする。
【課題を解決するための手段】
【０００６】
上述の目的を達成するために、本考案による携帯電話の着信を通知することが可能な腕時計は、使用者の手首に固定されるとともに、ケースユニットと、ワイヤレス信号を受信するための受信ユニットと、受信ユニットの信号を受信してそれに対応する通知信号を作り出すための通知ユニットとによって構成する。ケースユニットの内部には時間計算装置が設けられ、ケースユニットは時間を表示するための時計表面を備え、ケースユニットの両端は延伸してベルトを形成し、受信ユニットと通知ユニットはケースユニット内に設けられる。
【図面の簡単な説明】
【０００７】
【図１】本考案の一実施形態の外観を示した斜視図である。
【図２】本考案の一実施形態の構造を示した分解図である。
【図３】本考案の一実施形態を実際に使用した状態を示した説明図１である。
【図４】本考案の一実施形態を実際に使用した状態を示した説明図２である。
【図５】本考案の一実施形態を実際に使用した状態を示した説明図３である。
【考案を実施するための形態】
【０００８】
図１と図２は、本考案の一実施形態を示した斜視図と分解図である。図から分かるように、本考案の腕時計１は、使用者の手首に固定することができ、ケースユニット２と、受信ユニット３と、通知ユニット４とによって構成する。ケースユニット２内部には時間計算装置２１が設けられ、ケースユニット２は時間を表示するための時計表面２２を備える。また、ケースユニット２の両端は延伸してベルト２３を形成する。受信ユニット３はケースユニット２内に設けられ、受信ユニット３はワイヤレス信号を受信する。なお、受信ユニット３は、ブルートゥースワイヤレス受信機、ＩＥＥＥ８０２．１１ａ／ｂに対応したワイヤレス受信機、或いは赤外線ワイヤレス受信機のいずれかである。通知ユニット４はケースユニット２内に設けられ、通知ユニット４は受信ユニット３の信号を受信して対応する通知信号を作り出す。通知信号は、バイブレーション、着信音、ディスプレイ表示、或いは閃光の内のいずれか一つであり、通知信号は時計表面２２によって表示される。
【０００９】
また、腕時計１は送話器５を更に含むことができる。さらに、腕時計１は、太陽エネルギーを利用して充電を行うことができる。
【００１０】
以上のような構造をもつ本考案を実際に使用した時の状態を以下に説明する。図２から図５を参照する。図２は、本考案の一実施形態の構造を示した分解図であり、図３から図５は、本考案の一実施形態を実際に使用した状態を示した説明図である。図から分かるように、本考案による腕時計１は、ワイヤレス信号を受信するための受信ユニット３を備えており、使用者の携帯電話６に着信が来た時、受信ユニット３によって携帯電話６の着信が来たという情報を受信することができる。なお、受信ユニット３は、ブルートゥースワイヤレス受信機、ＩＥＥＥ８０２．１１ａ／ｂに対応したワイヤレス受信機、或いは赤外線ワイヤレス受信機のいずれかである。また、本考案は、受信ユニット３の信号を受信してそれに対応する通知信号を作り出すための通知ユニット４を備えている。なお、通知信号は、バイブレーション、着信音、ディスプレイ表示、閃光の内の一つを用いるか、或いは、複数を同時に用いる。以上の構造により、使用者が騒がしい環境にいる時、或いは、携帯電話６を物いれ袋７に入れている時、腕時計１は受信ユニット３によって着信が来ているという情報を受信し、通知ユニット４によって携帯電話６に着信が来ていることを使用者に通知する。その通知方法は、例えば、バイブレーションによって使用者に通知したり、着信音によって使用者に通知したり、時計表面２２に現在着信が来ていることをディスプレイ表示させて使用者に通知したり、或いは、閃光、照明によって使用者に通知したりする。このように、本考案は進歩性を備えている。
【００１１】
また、本考案の腕時計１は、送話器５を更に備えることができ、使用者は送話器５を通じて通話の相手と会話をすることができる。それにより、従来のブルートゥースイヤホンが長い時間耳に装着しなければならなかったという問題を解決することができるとともに、慌てて携帯電話６の着信を受けた時でも直ぐに通話相手と会話を始められるという利点がある。
【００１２】
図１から図５を参照する。本考案は、従来の技術と比較して、以下の利点をもつ。
【００１３】
１、騒がしい環境下でも、携帯電話６に着信が来た時、腕時計１によって、使用者は携帯電話６に現在着信が来ていることを知ることができる。
【００１４】
２、携帯電話６を物いれ袋７に入れている時でも、腕時計１によって、使用者は現在着信が来ていることを知ることができ、携帯電話６の着信を受けそこなうことがなくなる。このように、本考案は進歩性を備えている。
【符号の説明】
【００１５】
１  腕時計
２  ケースユニット
２１  時間計算装置
２２  時計表面    
２３  ベルト    
３    受信ユニット
４    通知ユニット
５    送話器    
６    携帯電話    
７    物いれ袋
【図１】
0003162246.tif 000003
【図２】
0003162246.tif 000004
【図３】
0003162246.tif 000005
【図４】
0003162246.tif 000006
【図５】
0003162246.tif 000007